(57)【特許請求の範囲】
【請求項１】
複数の積層された液晶素子を、偏光板と半透過型反射板との間に配置して液晶表示シート体を構成し、
各液晶素子は、ポリマーフィルムから成る一対の液晶シート基材と、該液晶シート基材によって挟持された強誘電性液晶を含む材料から成る液晶層と、各液晶シート基材の液晶側に同一の複数のドット形状を有する画素を形成し、前記画素は、互いに隣接する行および列方向の画素において、２分の１ピッチだけその位置がずれた千鳥格子状のマトリクス状に配置される配向膜とを含み、積層されて隣接する液晶シート基材を共用し、各液晶層は異なる色素を含み、
前記液晶表示シート体を所定の書込み電圧または消去電圧が印加された一対の帯電部材間を通過させることによって情報を書込みまたは消去することを特徴とする液晶表示シート体の書込み消去システム。
【請求項２】
前記帯電部材は、帯電ローラまたは帯電ヘッドであることを特徴とする請求項１記載の液晶表示シート体の書込み消去システム。
【請求項３】
（ａ）液晶表示シート体であって、
複数の積層された液晶素子を、偏光板と半透過型反射板との間に配置して構成され、
各液晶素子は、ポリマーフィルムから成る一対の液晶シート基材と、該液晶シート基材によって挟持された強誘電性液晶を含む材料から成る液晶層と、各液晶シート基材の液晶側に同一の複数のドット形状を有する画素を形成し、前記画素は、互いに隣接する行および列方向の画素において、２分の１ピッチだけその位置がずれた千鳥格子状のマトリクス状に配置される配向膜とを含み、積層されて隣接する液晶シート基材を共用し、各液晶層は異なる色素を含み、
前記液晶表示シート体を所定の書込み電圧または消去電圧が印加された一対の帯電部材間を通過させることによって情報が書込まれまたは消去される液晶表示シート体と、
（ｂ）液晶表示シート体の前記半透過型反射板に関して液晶素子とは反対側に配置されるバックライト光源とを含むことを特徴とする液晶表示装置。
【発明の詳細な説明】
【０００１】
【発明の属する技術分野】
本発明は、原稿、ポスターおよびチラシ広告などとして用いられる液晶を用いた表示シート体の書込み消去システムおよび液晶表示装置に関する。
【０００２】
【従来の技術】
たとえば、特開昭６４−７０１８号公報には強誘電性高分子液晶を用いた従来技術である情報記録媒体の例が開示されている。図１０は、当該情報記録媒体５１を示す断面図である。情報記録媒体５１の透光性基板５２の一方表面には、透明電極５３が形成され、さらに透明電極５３を覆って強誘電性高分子液晶が延伸配向させながら塗布されて液晶層５４が形成される。液晶層５４の上には透明電極５５が形成され、さらに必要に応じて透明電極５５を覆って保護膜５６が形成される。
【０００３】
情報記録媒体５１に対する情報の書込みおよび消去方法は、以下のようである。まず全面消去は、情報記録媒体５１全体を液晶層５４がカイラルスメクティックＣ（ＳｍＣ＊）相になるまで加熱し、所定の消去電圧を印加し、該電圧を印加したまま情報記録媒体５１全体を液晶層５４がガラス状態になるまで冷却することによって行われる。また書込みは、ガラス状態において所定の書込み電圧を印加しながら液晶層５４にレーザ光を照射して、照射領域を瞬間的にＳｍＣ＊相になるまで加熱し、液晶分子の配向状態を反転することによって行われる。さらに部分消去は、ガラス状態において所定の消去電圧を印加しながら書込み時と同様にして行われる。液晶分子の配向の反転状態は電圧印加を止めても維持される。
【０００４】
【発明が解決しようとする課題】
原稿、ポスターおよびチラシ広告などとしては、紙に情報を印刷した印刷物が多く用いられる。しかし、一旦印刷された情報は変更できないので、内容変更時には印刷物は破棄せざるを得ない。したがってごみが増加するが、このようなごみの増加は自然破壊や環境保護の点から好ましくない。また、紙やインクなどが無駄となるが、これは資源の有効活用の点から好ましくない。
【０００５】
上述の特開昭６４−７０１８号公報の情報記録媒体５１は、情報の書換えが可能なので、印刷物に代わって用いることによってごみの増加および紙やインクの無駄を低減できるが、構造が比較的複雑であり、記録媒体５１自身が大きくかつ重くなる。
【０００６】
本発明の目的は、情報を書換えることができる簡単な構成の液晶表示シート体の書込み消去システムおよび液晶表示装置を提供することである。
【０００７】
【課題を解決するための手段】
本発明は、複数の積層された液晶素子を、偏光板と半透過型反射板との間に配置して液晶表示シート体を構成し、
各液晶素子は、ポリマーフィルムから成る一対の液晶シート基材と、該液晶シート基材によって挟持された強誘電性液晶を含む材料から成る液晶層と、各液晶シート基材の液晶側に同一の複数のドット形状を有する画素を形成し、前記画素は、互いに隣接する行および列方向の画素において、２分の１ピッチだけその位置がずれた千鳥格子状のマトリクス状に配置される配向膜とを含み、積層されて隣接する液晶シート基材を共用し、各液晶層は異なる色素を含み、
前記液晶表示シート体を所定の書込み電圧または消去電圧が印加された一対の帯電部材間を通過させることによって情報を書込みまたは消去することを特徴とする液晶表示シート体の書込み消去システムである。
【０００８】
本発明に従えば、偏光子としての偏光板を介して入射した太陽光や蛍光灯などの外部光は、液晶素子を通過し、半透過型反射板で反射され、再び液晶素子、および前記偏光板を通過して出射する。この出射時、偏光板は検光子として機能する。また、半透過型反射板を介して入射したバックライトの内部光は、液晶素子、偏光板を通過して出射する。このような外部光と内部光とを使分けてより明るい光を用い、明るい表示を実現することができる。液晶素子は、プラスチックを含む材料、すなわちポリマーフィルムから成る一対の液晶シート基材と強誘電性液晶材料を含む材料から成る液晶層とを用いたものであり、各液晶シート基材の液晶層側には配向膜が形成される。情報の書込みおよび消去は、液晶表示シート体を所定電圧の電界中を通過させることによって行われる。すなわち、書込み電圧または消去電圧を印加することによって、強誘電性液晶分子の２つの配向状態が選択的に制御される。書込み電圧が印加された領域と消去電圧が印加された領域とで入射した偏光の振動方向が異なるようになり、一方の振動方向の光は検光子を透過して出射するが、半透過型反射板で反射された光のうち、他方の振動方向の光は、その検光子で遮断される。このように、液晶表示シート体を電界中を通過させるだけで情報の書込みおよび消去が可能である。また、強誘電性液晶の配向状態は電界を除去しても保持されるので、書込んだ情報を保持するために電圧を印加し続ける必要はない。したがって電極は不要である。このように本発明の液晶表示シート体は電極を持たず、構成が簡単であり、小型かつ軽量である。
【０００９】
【００１０】
同一の複数のドット形状の配向膜がマトリクス状に配列されて画素を形成するので、マトリクス表示が可能である。各液晶シート基材に形成される配向膜は同一であるので、同一の工程で作成でき、容易かつ安価に実現できる。
【００１１】
本発明に従えば、たとえばイエロ、マゼンダおよびシアンの３色にそれぞれ対応した３つの液晶素子を設けて、カラー表示が可能である。特に、各液晶素子において共通する部材を共用することによって、構成要素が簡略化され、小型化かつ軽量化が図られる。
【００１２】
【００１３】
【００１５】
本発明に従えば、液晶表示シート体を所定の書込み電圧または消去電圧が印加された一対の帯電部材間を通過させることによって、情報の書込みおよび消去が可能である。
【００１６】
本発明は、前記帯電部材は、帯電ローラまたは帯電ヘッドであることを特徴とする。
【００１７】
本発明に従えば、前記帯電部材として帯電ローラまたは帯電ヘッドが用いられる。すなわち帯電ローラを用いた場合、既存の電子写真方式のプリントシステムにおける感光体ドラムおよび背面電極を用いて、所定の電圧を印加する装置を新たに加えることで、情報の書込みおよび消去が容易に実現できる。また帯電ヘッドを用いた場合、ＬＥＤ（発光ダイオード）プリンタなどプリンタシステムにおけるＬＥＤヘッド、感光体ドラムの代わりに帯電ヘッドおよび背面電極を用いて、ＬＥＤ駆動回路に代えて所定の電圧を印加する装置を用いることで、情報の書込みおよび消去が容易に実現できる。
本発明は、（ａ）液晶表示シート体であって、
複数の積層された液晶素子を、偏光板と半透過型反射板との間に配置して構成され、
各液晶素子は、ポリマーフィルムから成る一対の液晶シート基材と、該液晶シート基材によって挟持された強誘電性液晶を含む材料から成る液晶層と、各液晶シート基材の液晶側に同一の複数のドット形状を有する画素を形成し、前記画素は、互いに隣接する行および列方向の画素において、２分の１ピッチだけその位置がずれた千鳥格子状のマトリクス状に配置される配向膜とを含み、積層されて隣接する液晶シート基材を共用し、各液晶層は異なる色素を含み、
前記液晶表示シート体を所定の書込み電圧または消去電圧が印加された一対の帯電部材間を通過させることによって情報が書込まれまたは消去される液晶表示シート体と、
（ｂ）液晶表示シート体の前記半透過型反射板に関して液晶素子とは反対側に配置されるバックライト光源とを含むことを特徴とする液晶表示装置である。
【００１８】
【発明の実施の形態】
図１は、本発明の前提となる構成である液晶表示シート体１の構成を示す断面図である。図２は、該液晶表示シート体１の斜視図である。液晶表示シート体１は、一対の偏光板２，３の間に液晶素子４を配置したものであり、液晶素子４は、一対の液晶シート部材５，６で強誘電性液晶を含む材料から成る液晶層７を挟持して構成される。各液晶シート部材５，６は、プラスチックを含む材料から成るポリマーフィルムの液晶シート基材９，１１の液晶層７側表面に配向膜１０，１２を形成したものであり、液晶層７の厚み（以下、「セル厚」という）を規制する図示しないスペーサを介してシール剤１３によって貼合わせられている。
【００１９】
プラスチックを含む材料から成り、たとえば積層（ラミネート）板で実現される液晶シート基材９，１１の一方表面には、ポリイミドなどの配向膜材料が塗布される。塗布された配向膜材料は、焼成された後、液晶分子を配向させるためのラビング処理などの配向処理が施される。このようにして配向膜１０，１２が形成される。なお、本構成の液晶表示シート体１では、配向膜材料は、焼成後エッチング処理によって所定のパターンに加工され、その後配向処理が施されている。このようなパターン加工によって配向膜１０，１２は、たとえば同一の複数のドット形状を有し、千鳥格子状のマトリクス状に配列されている。該配向膜の領域が、画素８の領域である。このようにして、液晶シート部材５，６が完成する。
【００２０】
液晶シート部材５，６の配向膜１０，１２の表面にはスペーサが散布され、該表面が内片側となるようにして、液晶シート部材５，６がシール剤１３で貼合わせられる。その後、液晶シート部材５，６の間隙に強誘電性液晶を含む材料が封入され、これによって液晶層７が形成される。使用可能な強誘電性液晶としては、ナフタレン系液晶およびフェニルピリミジン系非キラル液晶などが挙げられる。このようにして液晶素子４が完成する。液晶シート部材５，６の液晶層７とは反対側の表面には、偏光板２，３がそれぞれ貼合わせられる。このようにして、液晶表示シート体１が完成する。
【００２１】
強誘電性液晶は、複数の層構造をとり、また液晶分子の長軸が各層に垂直な方向から所定角度だけ傾いており、傾きの方向がある層から次の層へと少しずつずれるように並んだ螺旋構造をとる。液晶層７のセル厚は、強誘電性液晶の螺旋ピッチよりも遥かに小さい長さに選ばれる。たとえば２μｍよりも小さい値に選ばれ、特に１．５μｍ程度に選ばれる。
【００２２】
図３は、画素８のドット形状を拡大して示す図である。ドット形状を有する画素８としては、具体的に、図３（Ａ）に示されるような四角形の画素８ａ、図３（Ｂ）に示されるような円形の画素８ｂ、および図３（Ｃ）に示されるような六角形の画素８ｃであってもよい。また、これら以外に３、５および７以上の多角形であってもよい。さらに、四角形としては、正方形、長方形および菱形であってもよい。参照符８は、添え字ａ，ｂ，ｃを省略して、統括して示す。
【００２３】
また、画素８は、互いに隣接する行および列方向の画素において、２分の１ピッチだけその位置がずれた千鳥格子状のマトリクス状に配置される（図７参照）。
【００２４】
偏光板２，３の偏光軸２ａ，３ａと液晶層７の液晶分子の配列方向との関係は、書込み状態において、たとえば偏光板３を透過した入射光が液晶層７を透過して偏光板２を透過して出射し、消去状態において偏光板３を透過した入射光が液晶層７を透過して偏光板２で遮断されるように選ばれる。
【００２５】
図４は、液晶表示シート体１の動作原理を説明するための図である。偏光板２，３のうちの一方の偏光板２を検光子とし、他方の偏光板３を偏光子とし、偏光子３から検光子２の方向へ光が通過するものとする。液晶にはカイラルスメクティックＣ相と呼ばれる相があり、通常、この相を強誘電性液晶として用いる。強誘電性液晶は上述したように螺旋構造をとるが、セル厚は強誘電性液晶の螺旋ピッチよりも遥かに小さい長さに選ばれるので、前記螺旋構造がほどけ、２つの双安定状態が得られる。液晶分子７ａは、層に対して垂直な方向の自発分極を持ち、その方向に電圧をかけると、液晶分子７ａが電界方向に自発分極を揃えるように配向する。このため、電界＋Ｅ，−Ｅをかけることによって、液晶分子７ａの配向方向が変化する。すなわち、電界＋Ｅをかけると図４紙面奥向きの自発分極ＰＳ２が得られ、電界−Ｅをかけると図４紙面手前向きの自発分極ＰＳ１が得られる。このような液晶分子７ａの配向の変化によって、液晶層７内に入射した偏光の振動方向が異なるようになる。
【００２６】
したがって、偏光子３を通過して液晶層７の書込み状態の画素に入射した光は、検光子２から出射する。一方、液晶層７の消去状態の画素に入射した光は、検光子２で遮断される。このような画素の組合せによって、情報をマトリクス表示することができる。
【００２７】
図５は、帯電ローラ１５，１６を用いた情報の書込みおよび消去システムを示す側面図であり、図５（Ｂ）は斜視図である。情報の書込みおよび消去のために、一対の帯電部材として帯電ローラ１５，１６を備え、さらに該帯電ローラ１５，１６間に所定の電圧を印加するための電圧印加装置１７を備える。情報は、液晶表示シート体１を所定電圧の電界中を通過させることによって、すなわち、所定の書込み電圧または消去電圧が印加された一対の帯電ローラ１５，１６間を通過させることによって、書込まれ、また消去される。
【００２８】
図６は、帯電ヘッド１８，１９を用いた情報の書込みおよび消去システムを示す斜視図である。情報の書込みおよび消去のために、一対の帯電部材として帯電ローラ１５，１６に代わる帯電ヘッド１８，１９を備え、さらに該帯電ヘッド１８，１９間に所定の電圧を印加するための電圧印加装置１７を備える。情報は、帯電ローラ１５，１６の場合と同様に、所定の書込み電圧または消去電圧が印加された一対の帯電ヘッド１８，１９間を液晶表示シート体１を通過させることによって、書込まれ、また消去される。
【００２９】
書込み電圧または消去電圧を印加することによって、強誘電性液晶分子の２つの配向状態が選択的に制御され、液晶表示シート体１を電界中を通過させるだけで情報の書込みおよび消去が可能である。また、強誘電性液晶の特性から、書込まれた情報は電界を除去しても保持される。
【００３０】
図７は、印加電圧を示す波形図である。たとえば、帯電ローラ１５の表面には複数の走査電極が形成され、帯電ローラ１６の表面には複数の信号電極が形成されている。同様に、帯電ヘッド１８の表面には複数の走査電極が形成され、帯電ヘッド１９の表面には複数の信号電極が形成されている。１本の走査電極を選択して電圧Ｖｓを印加している間に、信号電極を順次的に選択して電圧Ｖｄが印加される。
【００３１】
液晶表示シート体１において、たとえば１行分の情報が一度に書込まれる。このため、たとえば（ｎ，ｍ）および（ｎ，ｍ＋１）の画素Ｐ１，Ｐ２に対応したｎ番目の走査電極の選択期間は１スロットの０（零）Ｖと３スロットのＶｓ、すなわち４スロットで構成される。このうちの２スロットが、（ｎ＋１，ｍ）および（ｎ＋１，ｍ＋１）の画素Ｐ３，Ｐ４に対応したｎ＋１番目の走査電極の選択期間と重複する。このため１走査電極当たりの駆動時間であるラインアドレス時間は、２スロットで定義できる。一方、信号電極には、表示状態によって電圧＋Ｖｄまたは−Ｖｄが印加される。
【００３２】
ここで、情報を書換えるとき、すなわち書込みまたは消去時、プレパルスＶｄを印加した後、同極性の書換え用のパルスＶｓ−Ｖｄを印加する。書換えないとき、すなわち書込みまたは消去状態の保持時、プレパルスＶｄを印加した後、逆極性の書換え用のパルスＶｓ＋Ｖｄを印加する。なお、３スロット目と４スロット目とのパルスは書換えには影響しない。たとえば、電圧Ｖｓは３０Ｖに、電圧Ｖｄは１０Ｖにそれぞれ選ばれる。
【００３３】
以上のように図１〜図７の構成の液晶表示シート体１によれば、液晶表示シート体１を電界中を通過させるだけで情報の書込みおよび消去が可能である。また、書込まれた情報は電界を除去しても保持される。したがって、電極がなくても、情報の書込みおよび消去ならびに書込まれた情報の保持が可能である。このように、本構成の液晶表示シート体１は電極を持たないので、構成が簡単で、小型かつ軽量である。
【００３４】
また、同一の複数のドット形状の配向膜１０，１２がマトリクス状に配列されるので、マトリクス表示が可能である。各液晶シート基材９，１１に形成される配向膜１０，１２の形状は同一なので、同一の工程で作成でき、容易に実現できる。
【００３５】
また、帯電部材として帯電ローラ１５，１６または帯電ヘッド１８，１９が用いられる。すなわち、帯電ローラ１５，１６は、既存の電子写真方式のプリントシステムにおける感光体ドラムおよび背面電極であり、これらを用い、電圧印加装置１７を追加することで、情報の書込みおよび消去が容易に実現できる。または、帯電ヘッド１８，１９は、既存のＬＥＤプリンタなどプリントシステムにおけるＬＥＤヘッド、感光体ドラムの代わりに帯電ヘッドおよび背面電極を用い、ＬＥＤ駆動回路に代えて電圧印加装置１７を用いることで、情報の書込みおよび消去が容易に実現できる。電子写真方式やＬＥＤプリンタ以外に、インクジェット方式のプリントシステムを適用しても構わない。
【００３６】
図８は、本発明の一実施形態であるカラー液晶表示シート体２１を示す断面図である。前述の構成の液晶表示シート体１に対して一実施形態の液晶表示シート体２１は、カラー表示を実施するために、基本的には前記液晶素子４と同様の液晶素子を複数、ここではイエロ（Ｙ）、マゼンダ（Ｍ）およびシアン（Ｃ）にそれぞれ対応する３つの液晶素子２３Ｙ，２３Ｍ，２３Ｃ（以降、統括するときには参照符号２３を用いる）を有し、各液晶素子２３Ｙ，２３Ｍ，２３Ｃを積層して構成される。
【００３７】
カラー液晶表示シート体２１は、偏光板２２と、３つの液晶素子２３Ｙ，２３Ｍ，２３Ｃと、半透過型反射板２４とを備える。偏光板２２と半透過型反射板２４との間に３つの液晶素子２３Ｙ，２３Ｍ，２３Ｃが積層して配置される。イエロの液晶素子２３Ｙは、プラスチックを含む材料から成る液晶シート基材２５の一方表面に配向膜２６が形成されて構成される液晶シート部材３５と、プラスチックを含む材料から成る液晶シート基材２７の一方表面に配向膜２８が形成されて構成される液晶シート部材３６とで、イエロ色素を添加した強誘電性液晶材料から成る液晶層３９を挟持して構成される。
【００３８】
マゼンダの液晶素子２３Ｍは、液晶シート基材２７の他方表面に配向膜２９が形成されて構成される液晶シート部材３６と、プラスチックを含む材料から成る液晶シート基材３０の一方表面に配向膜３１が形成されて構成される液晶シート部材３７とで、マゼンダ色素を添加した強誘電性液晶材料から成る液晶層４０を挟持して構成される。シアンの液晶素子２３Ｃは、液晶シート基材３０の他方表面に配向膜３２が形成されて構成される液晶シート部材３７と、プラスチックを含む材料から成る液晶シート基材３３の一方表面に配向膜３４が形成されて構成される液晶シート部材３８とで、シアン色素を添加した強誘電性液晶材料から成る液晶層４１を挟持して構成される。液晶シート基材２５の他方表面には偏光板２２が高い位置精度で貼合わせられる。
【００３９】
イエロの液晶素子２３Ｙのみに情報を書込むことによってイエロ成分のみを表示し、マゼンダの液晶素子２３Ｍのみに情報を書込むことによってマゼンダ成分のみを表示し、シアンの液晶素子２３Ｃのみに情報を書込むことによってシアン成分のみを表示することができる。ここで、各色素分子は、液晶分子に追随して配向し、従って入射した偏光の吸収の度合が色素分子の配向方向の角度によって変化する。このためカラー表示が可能である。
【００４０】
一実施形態によれば、イエロ、マゼンダおよびシアンの３色のカラー表示が可能である。特に、積層されて隣接する各液晶素子２３Ｙ，２３Ｍ，２３Ｃにおいて共通する部材、すなわち液晶シート基材２７，３０を共用することによって、構成要素が簡略化され、小型化および軽量化が図られる。
【００４１】
また、各色の色素を混合した強誘電性液晶材料を用いることによって、偏光板は１枚でよくなり、構成要素が簡略化され、小型化および軽量化が図られる。このような効果は、複数の液晶素子を備えるカラー液晶表示シート体２１に限らず、単一の液晶素子を備えるものであっても得られるものである。
【００４２】
なお、カラー化の他の手法として、カラーフィルタを用いて赤（Ｒ）、緑（Ｇ）および青（Ｇ）の画素を平面的に配列し、各画素への情報の書込みを制御する手法を採用しても構わない。
【００４３】
また、半透過型反射板２４を用いたカラー液晶表示シート体２１において、図９に示されるように、偏光板２２を介して入射した太陽光や蛍光灯などの外部光源４３からの光は、液晶素子２３を透過し、半透過型反射板２４で反射され、再び液晶素子２３、偏光板２２を透過して出射する。また、液晶表示シート体２１の半透過型反射板２４に関して液晶素子２３とは反対側に配置されたバックライトの内部光源４２からの半透過型反射板２４を介して入射した光は、液晶素子２３、偏光板２２を透過して出射する。このようにして、外部光と内部光とを使分けてより明るい方を採用し、明るい表示を実現することができる。なお、半透過型反射板２４は図１、図２の構成の液晶表示シート体１に適用しても構わない。
【００４４】
液晶表示シート体１，２１は、膨大な数を要する印刷情報や頻繁に書換えを要する印刷情報を表示するのに好適に用いられ、ポスターやチラシ広告などの他、印刷情報の試刷り用などとして用いることができる。
【００４５】
【発明の効果】
以上のように本発明によれば、液晶表示シート体を構成する液晶素子は、プラスチックを含む材料から成る一対の液晶シート基材と、強誘電性液晶を含む材料から成る液晶層とを用いたものであり、各液晶シート基材の液晶層側には配向膜が形成される。情報の書込みおよび消去は、液晶表示シート体を電界中を通過させるだけで可能で、また書込まれた情報は電界を除去しても保持される。したがって、電極がなくても、情報の書込みおよび消去ならびに書込まれた情報の保持が可能である。このように電極を持たないので、構成が簡単で、小型かつ軽量である。
【００４６】
同一の複数のドット形状の配向膜がマトリクス状に配列されて画素を形成するので、マトリクス表示が可能である。各液晶シート基材に形成される配向膜の形状は同一なので、同一の工程で容易に作成できる。また、半透過型反射板を用いるので、太陽光や蛍光灯などの外部光とバックライトの内部光とを使分けて、明るい表示を実現することができる。
【００４７】
また本発明によれば、カラー表示が可能である。特に、積層されて隣接する各液晶素子において共通する液晶シート基材を共用することによって、構成要素が簡略化され、小型化および軽量化が図られる。
【００４８】
また本発明によれば、液晶層が色素を含むので、偏光板を１枚だけ用いて構成を簡略化することができる。
【００４９】
また本発明によれば、液晶表示シート体を所定の書込み電圧または消去電圧が印加された一対の帯電部材間を通過させることによって、情報を書込むことまたは消去することができる。
【００５０】
また本発明によれば、前記帯電部材として帯電ローラまたは帯電ヘッドを用いることによって、既存の電子写真方式やＬＥＤプリンタなどプリントシステムを用いて、情報の書込みおよび消去が容易に実現できる。
【図面の簡単な説明】
【図１】本発明の前提となる構成である液晶表示シート体１の断面図である。
【図２】液晶表示シート体１の斜視図である。
【図３】画素８のドット形状を拡大して示す図である。
【図４】液晶表示シート体１の動作原理を説明するための図である。
【図５】帯電ローラ１５，１６を用いた情報の書込みおよび消去システムを説明するための図である。
【図６】帯電ヘッド１８，１９を用いた情報の書込みおよび消去システムを説明するための斜視図である。
【図７】印加電圧を示す波形図である。
【図８】本発明の一実施形態であるカラー液晶表示シート体２１の断面図である。
【図９】半透過型反射板２４を用いたカラー液晶表示シート体２１の光の利用方法を説明するための図である。
【図１０】特開昭６４−７０１８号公報に開示された従来技術である情報記録媒体５１を示す断面図である。
【符号の説明】
１  液晶表示シート体
２，３，２２  偏光板
４，２３，２３Ｙ，２３Ｍ，２３Ｃ  液晶素子
５，６，３５〜３８  液晶シート部材
７，３９〜４１  液晶層
８，８ａ〜８ｃ  画素
９，１１，２５，２７，３０，３３  液晶シート基材
１０，１２，２６，２８，２９，３１，３２，３４  配向膜
１５，１６帯電ローラ
１７  電圧印加装置
１８，１９  帯電ヘッド
２１  カラー液晶表示シート体
２４  半透過型反射板
４２  内部光源
４３  外部光源
【図１】
0003576775.tif 000002
【図２】
0003576775.tif 000003
【図３】
0003576775.tif 000004
【図４】
0003576775.tif 000005
【図５】
0003576775.tif 000006
【図６】
0003576775.tif 000007
【図７】
0003576775.tif 000008
【図８】
0003576775.tif 000009
【図９】
0003576775.tif 000010
【図１０】
0003576775.tif 000011